(57)【要約】【課題】被収納物を手軽に一括収納して整理すること、加えて、一括収納及び整理が可能な収納具を簡易に製造すること、を課題とする。【解決手段】前部１０３と背部１０１が対面するように第一部材１を折り曲げることで、前部１０３、背部１０１、第一マチ部１０２及び第二マチ部１０４に囲まれた第一収納空間を形成し、更に第一部材１の前部１０３に第二部材２を設けることで、前部１０３と第二表部２０１との間に第二収納空間を形成した。【選択図】図９
2007313772.tif 000002
【特許請求の範囲】
【請求項１】
板状の背部と、前記背部の一方の側端に設けられた板状の第一表部と、を有する第一部材であって、前記第一表部が、前記背部と前記第一表部との間に所定の間隔をとって対面するように折り曲げられたことによって、前記背部と前記第一表部との間に第一収納空間が形成された第一部材と、
板状の第二表部を有する第二部材であって、前記第一表部の、前記背部に対面した面の反対側の面に設けられたことで、前記第一表部と前記第二表部との間に第二収納空間が形成された第二部材と、
を備えることを特徴とする収納具。
【請求項２】
前記第一部材は、
前記背部の一方の側端に設けられた第一マチ部と、
前記第一マチ部の、前記背部が設けられていない側端に設けられた前部と、
前記前部の、前記第一マチ部が設けられていない側端に設けられた第二マチ部と、
を持つ前記第一表部を有し、
前記第一マチ部の両側端と、前記第二マチ部の、前記前部が設けられた側端と、が折られ、前記第二マチ部の、前記前部が設けられていない側端が、前記背部の、前記第一マチ部が設けられていない側端と接合されたことによって、前記背部と前記前部が対面し、前記背部と前記第一表部との間に第一収納空間が形成されること、
を特徴とする請求項１に記載の収納具。
【請求項３】
請求項１又は請求項２に記載の収納具を、上下に２つ備えた収納具であって、
上側の前記収納具の下端と下側の前記収納具の上端との間に設けられたブリッジ部と、
前記ブリッジ部の側端に設けられ、該ブリッジ部側に折り畳まれて接合された補強片と、
を更に備えることを特徴とする収納具。
【請求項４】
前記第二部材は、前記第二表部の上端に設けられ、前記第一表部の上端を越えて前記第一収納空間の内側へ折り込まれるフラップ部を更に有すること、
を特徴とする請求項１から請求項３の何れかに記載の収納具。
【請求項５】
請求項１から請求項４の何れかに記載の収納具であって、該収納具を綴じ具で係止するための綴じ代部を更に備える収納具と、
前記綴じ代部と結合することで前記収納具を係止する綴じ具と、
を備えることを特徴とする整理用ファイル。
【請求項６】
板状の背部と、前記背部の一方の側端に設けられた第一マチ部と、前記第一マチ部の、前記背部が設けられていない側端に設けられた前部と、前記前部の、前記第一マチ部が設けられていない側端に設けられた第二マチ部と、を有する部材を用いた、収納具の製造方法であって、
前記部材を、前記第一マチ部の、前記前部が設けられた側端で折り畳み、前記第二マチ部の、前記前部が設けられていない側端が接触した位置を接合位置と決定する接合位置合わせ工程と、
前記接合位置合わせ工程の後で、前記第二マチ部の、前記前部が設けられていない側端を、前記背部に接合する接合工程と、
を有することを特徴とする収納具製造方法。
【発明の詳細な説明】
【技術分野】
【０００１】
本発明は、収納具、該収納具を利用した整理用ファイル及び収納具製造方法に関する。
【背景技術】
【０００２】
被収納物を区分して収納することが可能な収納具として、フォルダの表面にポケットを備えた収納具（特許文献１及び特許文献２を参照）及び７箇所のポケットを備えた収納具（特許文献３を参照）がある。
【０００３】
また、厚みのある被収納物又は複数の被収納物を収納することが可能な収納具として、マチを有する収納具（特許文献４を参照）及び柔軟な部材を使用して製造された収納具（特許文献５を参照）がある。
【特許文献１】特開２００２-２２５４７６号公報
【特許文献２】特開２００４-４２６６６号公報
【特許文献３】特開２００４-６６７９３号公報
【特許文献４】特開平５-２７８３８４号公報
【特許文献５】特開平９-３００８７４号公報
【発明の開示】
【発明が解決しようとする課題】
【０００４】
写真、書類、名刺、記録型ディスク等、大量に所有される場合が多い物は、適当なグループ毎に分けた状態で収納され、整理されることが望ましい。ここで、従来より、複数のポケットを有することによって、被収納物を個別に収納して、整理することが可能な収納具がある。
【０００５】
しかし、複数のポケットを有する収納具を使用した場合でも、通常、被収納物はポケットごとに個別に収納されるため、整理及び収納に手間がかかるという問題が存在する。
【０００６】
また、整理、収納のための収納具として、被収納物がまとめて収納される収納空間と、それに対応する整理用のインデックスが収納される収納空間と、を有する収納具を使用することが考えられるが、このような収納具は、製造に手間がかかるという問題も存在する。
【０００７】
本発明は、上記した問題に鑑み、被収納物を手軽に一括収納して整理すること、加えて、一括収納及び整理が可能な収納具を簡易に製造すること、を課題とする。
【課題を解決するための手段】
【０００８】
本発明は、上記した課題を解決するために、第一部材を折り曲げて一括収納可能な第一収納空間を形成し、更に第一部材と第二部材との間に第二収納空間を形成することで、被収納物を手軽に一括収納して整理することを可能にし、加えて、一括収納及び整理が可能な収納具を簡易に製造することを可能にした。
【０００９】
詳細には、本発明は、板状の背部と、前記背部の一方の側端に設けられた板状の第一表部と、を有する第一部材であって、前記第一表部が、前記背部と前記第一表部との間に所定の間隔をとって対面するように折り曲げられたことによって、前記背部と前記第一表部との間に第一収納空間が形成された第一部材と、板状の第二表部を有する第二部材であって、前記第一表部の、前記背部に対面した面の反対側の面に設けられたことで、前記第一表部と前記第二表部との間に第二収納空間が形成された第二部材と、を備えることを特徴
とする収納具である。
【００１０】
背部と第一表部とを有する第一部材を折り曲げることによって、背部と第一表部との間に、所定の幅を有する第一収納空間を簡易に形成することが可能となる。加えて、第一収納空間が所定の幅を有することによって、写真、書類等の被収納物を、複数まとめて一括収納することが可能となる。
【００１１】
さらに、第二部材を第一表部に設けることによって、第一表部と第二表部との間に第二収納空間を簡易に形成することが可能となる。加えて、第二収納空間が第一収納空間を形成する第一部材の上に設けられていることによって、第一収納空間に一括収納した被収納物の分類用のインデックスや、第一収納空間に一括収納した被収納物のデータを収録した記録用ディスク等を収納することが可能となる。
【００１２】
本発明において、前記第一部材は、前記背部の一方の側端に設けられた第一マチ部と、前記第一マチ部の、前記背部が設けられていない側端に設けられた前部と、前記前部の、前記第一マチ部が設けられていない側端に設けられた第二マチ部と、を持つ前記第一表部を有し、前記第一マチ部の両側端と、前記第二マチ部の、前記前部が設けられた側端と、が折られ、前記第二マチ部の、前記前部が設けられていない側端が、前記背部の、前記第一マチ部が設けられていない側端と接合されたことによって、前記背部と前記前部が対面し、前記背部と前記第一表部との間に第一収納空間が形成されること、を特徴としてもよい。
【００１３】
第一部材が折り曲げられた状態で、対面する背部と前部の側端にマチ部が設けられていることによって、第一収納空間に所定の幅を持たせることが可能となる。また、マチ部によって前記所定の幅が確保されていることによって、被収納物を複数重ねた状態で収納することが簡易になる。
【００１４】
本発明は、先述の収納具を、上下に２つ備えた収納具であって、上側の前記収納具の下端と下側の前記収納具の上端との間に設けられたブリッジ部と、前記ブリッジ部の側端に設けられ、該ブリッジ部側に折り畳まれて接合された補強片と、を更に備えることを特徴としてもよい。
【００１５】
上下に収納具を備えた場合、上側の収納具と下側の収納具との間で、収納具が切れてしまう等、破損し易くなることが考えられる。上側の収納具と下側の収納具との間に設けられたブリッジ部の側端に補強片を設け、補強片をブリッジ部側に折り畳んで接合することで、強度を向上させ、破損を防止することが可能となる。
【００１６】
本発明において、前記第二部材は、前記第二表部の上端に設けられ、前記第一表部の上端を越えて前記第一収納空間の内側へ折り込まれるフラップ部を更に有すること、を特徴としてもよい。
【００１７】
第一収納空間には、一括収納が可能であるため、脱落防止用の蓋を設けることが好ましい場合がある。このとき、第二部材にフラップ部を設けて、第一表部の上端を越えて、第一部材で形成された第一収納空間用の蓋とすることで、脱落防止の蓋付きの収納具を簡易に製造することが可能となる。
【００１８】
また、本発明は、先述の収納具であって、該収納具を綴じ具で係止するための綴じ代部を更に備える収納具と、前記綴じ代部と結合することで前記収納具を係止する綴じ具と、を備えることを特徴とする整理用ファイルであってもよい。
【００１９】
本発明の収納具を利用した整理用ファイルに拠れば、一括収納して整理された収納具をまとめて管理することが可能となり、加えて、第一収納空間に収納されたインデックス等の閲覧性が向上する。
【００２０】
また、本発明は、板状の背部と、前記背部の一方の側端に設けられた第一マチ部と、前記第一マチ部の、前記背部が設けられていない側端に設けられた前部と、前記前部の、前記第一マチ部が設けられていない側端に設けられた第二マチ部と、を有する部材を用いた、収納具の製造方法であって、前記部材を、前記第一マチ部の、前記前部が設けられた側端で折り畳み、前記第二マチ部の、前記前部が設けられていない側端が接触した位置を接合位置と決定する接合位置合わせ工程と、前記接合位置合わせ工程の後で、前記第二マチ部の、前記前部が設けられていない側端を、前記背部に接合する接合工程と、を有することを特徴とする収納具製造方法である。
【００２１】
背部と前部が、マチ部の幅の間隔をとって対面する収納空間を形成する場合、全ての側端で折り曲げてから、第二マチ部の、前記前部が設けられていない側端を接合する位置を決めることとすると、正確な位置に決定することが難しい。部材を、第一マチ部の前部が設けられた側端で折り畳むことで、前記第二マチ部の前記前部が設けられていない側端が、背部上の該側端を接合すべき位置に正確に位置する。このため、本発明に拠れば、接合位置を正確かつ簡易に決定し、接合することが可能となる。
【発明の効果】
【００２２】
本発明によって、被収納物を手軽に一括収納して整理することが可能となり、加えて、一括収納及び整理が可能な収納具を簡易に製造することが可能となる。
【発明を実施するための最良の形態】
【００２３】
本発明に係る収納具、該収納具を利用した整理用ファイル及び収納具製造方法の実施の形態について、図面に基づいて説明する。
【実施例】
【００２４】
はじめに、図１及び図２を用いて本実施例における収納具の製造に使用される樹脂製シートの構成を説明する。
【００２５】
図１は、本実施例における収納具に使用される第一シートの構成を示す図である。第一シート１は、透光性の樹脂製シートを裁断し、折線を形成したものである。第一シート１は、ポケット形成部として、背部１０１、第一マチ部１０２、前部１０３、第二マチ部１０４及び第一接合片１０５を夫々の間に折線ａ、ｃ、ｄ、ｆを介して順に有し、前記前部１０３の下端に、第三マチ部１０６及び第二接合片１０７を夫々の間に折線ｇ、ｉを介して順に有する。また、第一マチ部１０２、前部１０３及び第二マチ部１０４は、第一表部を構成する。
【００２６】
第一マチ部１０２、第二マチ部１０４及び第三マチ部１０６は、中央に長辺と平行なマチ幅調整用折線ｂ、ｅ、ｈを有する。また、背部１０１及び前部１０３は、ＬＬ／２Ｌ判の写真より一回り大きな寸法を有する。
【００２７】
第一シート１は、前記ポケット形成部を一枚のシート中に４組有しており、これらを組立てることで４つのポケットが形成される。上下に配置された背部１０１の間には、ブリッジ部１０８が設けられており、ブリッジ部１０８の側面には、折線ｊを介して補強片１０９が設けられている。左右に配置された背部１０１の間には、綴じ代部１１０が設けられており、綴じ代部１１０には、複数の綴じ孔が設けられている。また、第一シート１は、四方の角が丸みを帯びるよう裁断されており、組み立て時の安全性が考慮されている。
【００２８】
図２は、本実施例における収納具に使用される第二シートの構成を示す図である。第二シート２は、透光性の樹脂製シートを裁断し、折線を形成したものである。第二シート２は、第二表部２０１、第二表部２０１の上端に設けられたフラップ部２０３及び第二表部２０１に設けられた開口部２０２を有する。また、フラップ部２０３には折線ｘ、ｙが設けられている。ここで、第二表部２０１は、ＬＬ／２Ｌ判の写真より一回り大きな寸法を有する。
【００２９】
第二シート２は、一枚の第一シート１に対して４枚用意される。また、第二シート２は、四方の角が丸みを帯びるよう裁断されており、組み立て時の安全性が考慮されている。
【００３０】
次に、手順１から手順８の工程に沿って本実施例における収納具３の製造方法を説明する。
【００３１】
＜手順１＞
手順１では、第一シート１の前部１０３に、第二シート２が重ねられ、第二表部２０１の周縁部が溶着されることで、第一シート１と第二シート２が接合される（図３を参照）。
【００３２】
＜手順２＞
手順２では、第一シート１の折線ｃを用いて、第一シート１が折り返されることで、溶着位置の位置決めが行われる（図４を参照）。このとき、溶着された第二シート２が外側に来るよう折り返される。折線ｃを用いて折り返されることによって、第一接合片１０５の溶着位置、即ち、第二マチ部１０４と背部１０１との接合位置を容易かつ正確に特定することが出来る。
【００３３】
＜手順３＞
手順３では、手順２で位置決めされた位置で第一接合片１０５が溶着されることで、第二マチ部１０４と背部１０１が接合される（図４を参照）。
【００３４】
＜手順４＞
手順４では、折線ａ、ｄ、ｆを用いて第一シート１が折り曲げられることによって、対面する前部１０３と背部１０１との間に、マチ部の幅分の間隔がおかれた収納空間が形成される（図５及び図６を参照）。図５は折り曲げ前、図６は折り曲げ後の状態を示した概略図である。
【００３５】
＜手順５＞
手順５では、折線ｇ、ｉを用いて第一シート１が折り曲げられ、第二接合片１０７が溶着されることで、第三マチ部１０６と背部１０１が接合される（図示は省略する）。
【００３６】
＜手順６＞
手順６では、マチ幅調整用折線ｂ、ｅ、ｈが、収納空間側に向かって山を形成するように折られる（図８を参照）。ここで、収納空間側に向かって山を形成するように折られることとしているのは、本実施例における一例である。マチの幅を伸縮させることが出来ればよく、例えば、マチ幅調整用折線が収納空間側に向かって谷を形成するように折られることとしてもよいし、マチ部を弾性を有する部材で形成することとしてもよい。
【００３７】
＜手順７＞
手順７では、折線ｘ、ｙを用いて第二シート２が折り曲げられ、フラップ部２０３が第一ポケットの内側へ折り入れられる（図９を参照）。第一ポケット用のフラップ部２０３
が、第二シート２上に設けられることで、被収納物脱落防止用のフラップ部２０３を、簡易に形成することが出来る。
【００３８】
＜手順８＞
手順８では、折線ｊを用いて補強片１０９が折り返され、溶着される（図７を参照）。
【００３９】
第一シート１の有する夫々のポケット形成部について、前記手順１から手順７が繰り返されることによって、収納具３が完成する（図７を参照）。この収納具３を必要数製作する。なお、本実施例では補強片１０９の溶着を手順８として独立させているが、上部の収納具３の接合片が溶着される際に、同時に溶着されてもよい。
【００４０】
次に、図７、図８及び図９を用いて本実施例における収納具３の構成を説明する。
【００４１】
図７は、本実施例における収納具の全体の構成を示した図である。上下に配置されたポケットの間には、ブリッジ部１０８及び補強片１０９が設けられている。補強片１０９によって、上下ポケットの間で樹脂製シートが切れる等して破損することを防止出来る。また、左右に配置されたポケットの間には、綴じ代部１１０が設けられている。
【００４２】
収納具３が透光性の樹脂製シートで製造されていることにより、外部から被収納物を視認することが出来る。また、第一ポケット及び第二ポケットは、背部１０１、前部１０３、第二表部２０１がＬＬ／２Ｌ判の写真より一回り大きな寸法を有することにより、ＬＬ／２Ｌ判の写真を収納することが出来る。
【００４３】
図８及び図９は、本実施例における収納具の一部の構成を示した図である。図８及び図９は、図７に示された４つの二重ポケットのうち、一の二重ポケットを図示している。第一ポケットは、背部１０１、前部１０３、第一マチ部１０２、第二マチ部１０４及び第三マチ部１０６によって囲まれた収納空間である。また、上面は開口しており、ここから被収納物を出し入れする。第一マチ部１０２、第二マチ部１０４及び第三マチ部１０６は、中央に長辺と平行なマチ幅調整用折線ｂ、ｅ、ｈを有する。このマチ幅調整用折線ｂ、ｅ、ｈが折られていることにより、折れの程度を調整することでマチの幅が伸縮し、収納空間の容量を変化させることが出来る。
【００４４】
第二ポケットは、前記前部１０３と該第二表部２０１によって形成された収納空間である。また、第二表部２０１の上部には開口部２０２が設けられている。開口部２０２の下縁は、半円状に裁断されているため、容易に被収納物の出し入れが出来る。また、開口部２０２の左右両端において開口縁が曲線を描いて折り返していることにより、開口部２０２の両端が切れてしまうことを防止出来る。
【００４５】
第一ポケットの被収納物が脱落することを防止するためのフラップ部２０３は、第二ポケットの第二表部２０１と連続している。第二表部２０１の上端に設けられたフラップ部２０３は、第一ポケットの前部１０３の上端を越えて、第一ポケットの収納空間内に折り込まれている。また、収納具３の有する四方の角は、丸みを帯びており、取り扱い時の安全性が考慮されている。
【００４６】
次に、図１０を用いて本実施例における収納具を利用した写真整理用ファイルの構成を説明する。
【００４７】
図１０は、本実施例における収納具を利用した写真整理用ファイルを示した図である。収納具３を重ねて、表紙付きの綴じ具４を用いて綴じ代部１１０で綴じる。綴じ具４は二枚の表装部４０１、４０２と、表装部４０１、４０２の間に設けられた背装部４０３と、
背装部４０３に設けられた爪付きの突起であって、左右に内向きの爪を有する複数の爪付き突起４０４と、爪付き突起４０４の左右の爪を広げて上から嵌め込み可能な太さの部分及び左右の爪に掛かることで爪の内側から取り外し不可能な太さの部分が所定の間隔ごとに設けられた係止棒４０５と、からなる。
【００４８】
収納具３の綴じ代部１１０を爪付き突起４０４に通し、係止棒４０５の爪付き突起４０４の爪に嵌め込み可能な太さの部分を爪の間に嵌め込み、取り外し不可能な太さの部分が爪の内側に来るように係止棒４０５をスライドさせることで、収納具３を綴じ具４に係止する。この綴じ具４は、本実施例における一例であって、本実施例において説明した綴じ具４に限定するものではない。整理用ファイルの目的等に応じて綴じ具及び綴じ代部は、様々な種類のものから選択してもよい（図１１及び図１２を参照）。
【００４９】
本実施例に拠れば、第一ポケットは、マチを有しているため、写真を重ねてまとめて収納することが可能である。第一ポケットにまとめて写真を収納し、第二ポケットに写真データを保存した記録型ＣＤや、インデックス写真を収納することによって、多くの写真を簡易に整理、収納することが出来る。また、本実施例では用途を写真整理用としているが、これは実施例における一例であって、本発明の用途を限定するものではない。ポケットの寸法を変更することで、書類整理、名刺整理、記録型ディスク整理等、他の様々な物の整理用途に利用できる。
【００５０】
なお、表装部４０１、４０２の両方又は何れか一方の内側の面に、所定の形状に裁断された第三シートを貼り付けて、Ａ４判が収納可能な寸法の大判ポケット５を形成してもよい（図１３を参照）。大判ポケットは、前部５０１、マチ部５０２、５０３、５０４によって囲まれた収納空間である。大判ポケットを設けることで、綴じられた収納具３には収納出来ない大判の写真を収納することが出来る。また、第三シート５には、大判ポケットの被収納物が脱落することを防止するためのフラップ部５０５、被収納物の取り出しを容易にするための穴部５０６が設けられている。
【図面の簡単な説明】
【００５１】
【図１】実施例における収納具に使用される第一シートの構成を示す図である。
【図２】実施例における収納具に使用される第二シートの構成を示す図である。
【図３】実施例における収納具の製造過程を示す図である。
【図４】実施例における収納具の製造過程を示す図である。
【図５】実施例における収納具の製造過程を示す図である。
【図６】実施例における収納具の製造過程を示す図である。
【図７】実施例における収納具の全体の構成を示した図である。
【図８】実施例における収納具の一部の構成を示した図である。
【図９】実施例における収納具の一部の構成を示した図である。
【図１０】実施例における収納具を利用した写真整理用ファイルを示した図である。
【図１１】実施例における収納具の全体の構成を示した図である。
【図１２】実施例における収納具の全体の構成を示した図である。
【図１３】実施例における収納具を利用した写真整理用ファイルを示した図である。
【符号の説明】
【００５２】
１      第一シート
２      第二シート
３      収納具
４      綴じ具
１０１  背部
１０２  第一マチ部
１０３  前部
１０４  第二マチ部
１０６  第三マチ部
１０８  ブリッジ部
１０９  補強片
１１０  綴じ代部
２０１  第二表部
２０２  開口部
２０３  フラップ部
４０４  爪付き突起
４０５  係止棒
【図１】
2007313772.tif 000003
【図２】
2007313772.tif 000004
【図３】
2007313772.tif 000005
【図４】
2007313772.tif 000006
【図５】
2007313772.tif 000007
【図６】
2007313772.tif 000008
【図７】
2007313772.tif 000009
【図８】
2007313772.tif 000010
【図９】
2007313772.tif 000011
【図１０】
2007313772.tif 000012
【図１１】
2007313772.tif 000013
【図１２】
2007313772.tif 000014
【図１３】
2007313772.tif 000015